(57)【要約】      （修正有）【課題】炭火の加減調整と補給を安全で手軽に行え、また食材の焼けすぎが生じないようにした炭焼き用のバーベキューコンロを提供する。【解決手段】焼網２をコンロ１上に載着する焼網支持棒３を内棒３ｃと上面開放の外筒３ｄの内外二重の伸縮体にて形成し、該焼網支持棒３の外筒３ｄを該コンロ１の上面に跨ぎ掛け固定し、該焼網支持棒３の内棒３ｃをコンロ１外に伸長することにより該内棒３ｃに載着した焼網２をコンロ１上からコンロ１外に移動させてコンロ１上を開放することによりコンロ１内の炭火の加減調整と補給をしやすくし、また焼網２上の焼き上げ肉、野菜などの食材をコンロ１上からコンロ１外にずらし置きし得るようにしたことを特徴とする。【選択図】図１
0003180270.tif 000002
【実用新案登録請求の範囲】
【請求項１】
バーベキューコンロにおいて、焼網を載着する焼網支持棒を内外二重の伸縮体にて形成して、該支持棒の伸長により焼網をコンロ上からコンロ外に移動させてコンロ上を開放することによりコンロ内の炭火の加減調整と補給をしやすくし、また焼網上の焼き上げ肉、野菜などの食材をコンロ上からコンロ外にずらし置きし得るようにしたことを特徴とするバーべキューコンロ。
【請求項２】
焼網支持棒は、外筒の両端下面にコンロの上面に跨ぎ掛け固定する掛止片を設け、内棒の上面に焼網の挿し止めと伸縮用を兼ねた突起を設ける請求項１に記載のバーベキューコンロ。
【請求項３】
焼網支持棒の外筒を広狭にスライドする二重体にしてコンロ幅の大小に応じて広狭調整して焼網支持棒をコンロ上に跨ぎ掛け固定し得るようにする請求項２に記載のバーベキューコンロ。
【請求項４】
焼網支持棒の側面に広狭調整のための操作ヘッド付きのネジを取付ける請求項３に記載のバーベキューコンロ。
【考案の詳細な説明】
【技術分野】
【０００１】
本考案は、炭焼き用のバーベキューコンロに関するものである。
【背景技術】
【０００２】
この種のバーベキューコンロとしては実開平７―２４２３２号公報がある。該公報はコンロの側面から炭のせ用の火床を引き出して炭の補充を行うようにしたことを記載している。
【先行技術文献】
【特許文献】
【０００３】
【特許文献１】実開平７―２４２３２号公報
【考案の概要】
【考案が解決しようとする課題】
【０００４】
しかしながら、火床のコンロ外への出し入れは高熱であることから危険が伴い出し入れすることができなくなるという課題がある。該公報は図４にて火床つかみにて引き出した火床を一方の手で支えたまま他方の手で炭の補充を行なうことを記載していて、万人むきでないという課題がある。
【０００５】
また食材は常時火床上にあるために焼けすぎてしまうという課題がある。
【課題を解決するための手段】
【０００６】
本考案は、焼網をコンロ上からコンロ外に移動させてコンロ上を開放することによりコンロ内の炭火の加減調整と補給をしやすくし、また焼網上の焼き上げ肉、野菜などの食材をコンロ上からコンロ外にずらし置きし得るようにして、かかる課題を解決するようにしたのである。
【考案の効果】
【０００７】
本考案は、炭焼き調理中の焼網をコンロ上からコンロ外に移動させてコンロ上を開放することで、炭火の位置がえなどを含む加減調整と炭の補給を安全で手軽に行えるという効果を生ずる。
【０００８】
焼網をコンロ外に移動することで、焼網上の食材の焼けすぎを防止することができるという効果を生ずる。
以上により安心で万人向きのバーベキューコンロを提供するという効果を生ずる。
【図面の簡単な説明】
【０００９】
【図１】バーベキューコンロと焼網支持棒および焼網をセット前の状態にて示す斜視図
【図２】（ａ）は炭焼中の状態を示す側断面図、（ｂ）は焼網をコンロ外に移動した状態を示す側断面図
【図３】第２実施例の焼網支持棒を示すもので、上図は斜視図、（ａ）は同、平面図、（ｂ）はコンロの幅に合わせて狭くした状態例の平面図、（ｃ）は同、広くした状態例を示す平面図
【考案を実施するための形態】
【００１０】
本考案は、焼網を載着する焼網支持棒を内外二重の伸縮体にて形成して、該支持棒を焼網ごと伸長して焼網をコンロ上からコンロ外に移動させてコンロ上を開放することによりコンロ内の炭火の加減調整と補給をしやすくし、また焼網上の焼き上げ肉、野菜などの食材をコンロ上からコンロ外にずらし置きし得るようにする。
【実施例１】
【００１１】
図１乃至図２は本考案の第１実施例を示すもので、上面開放の箱形をしたコンロ１上の側端間に焼網２を載着するための２本の焼網支持棒３，３を跨ぎ掛け固定する。焼網支持棒３，３は焼網２の載着とその伸縮操作用を兼ねた上向きの突起３ａ，３ｂを両端上に設けた内棒３ｃと、内棒３ｃを出し入れ自在とする上面開放の外筒３ｄとからなり、外筒３ｄの両端下にコンロ１上に跨ぎ掛け固定するための掛止片３ｅ，３ｆを設けている。なお３ｇは内棒３ｃの抜出し防止のため外筒３ｄの一端に設けたストッパである。
【００１２】
コンロ１上の側端間に跨ぎ掛け固定した焼網支持棒３，３の上向きの突起３ａ，３ｂ上に焼網２の網目２ａを挿し止めるなどして焼網２を載着固定する。なお支持棒３，３は両端の掛止片３ｅ，３ｆをコンロ１に設けた嵌溝１ａに挿し嵌めて固定することもできる。嵌溝１ａがなくとも掛止片３ａ，３ｂのコンロ１上への跨ぎ掛けによって充分な安定性を確保することができる。
【００１３】
コンロ１上の焼網２は突起３ｂ，３ｂをつまんで内棒３ｃをコンロ１の外に引き出すと焼網２もコンロ１外に移動して図２（ａ）に示すようにコンロ１上を開放するので、コンロ１内の炭Ｃの位置がえによる火力の加減調整と炭Ｃの補給を安全且つ容易に行うことができることとなる。
【００１４】
また、焼網２をコンロ１外に移動することで食材Ｓはコンロ１外にずらし置きされることによって焼けすぎを防止することができることとなる。
【実施例２】
【００１５】
図３はコンロ１の幅の大小に対応させることができるように、焼網支持棒３の掛止片３ｅ，３ｆ間を広狭に調整することができるようにした第２実施例を示すもので、外筒３ｄをレール３ｈと３ｉの二重体にして広狭にスライドすることができるようにする。広狭した位置で固定できるように側面に操作ヘッド４ａ付きのネジ４を設けている。このようにして掛止片３ｅ，３ｆ間をコンロ１の大小幅に合わせて掛止することができるようにする。
【００１６】
焼網２を載着しようとするバーベキューコンロ１の幅が大小した場合は操作ヘッド４aにてネジ４を弛めてレール３ｈと３ｉを広狭にスライド調整して、図３（ｂ），図３（ｃ）に示すようにコンロ１の大小に合わせて焼網支持棒３，３を跨ぎ掛けして焼網２を載着することができるようにする。
【産業上の利用可能性】
【００１７】
本考案は、炭火焼き用のバーベキューコンロにおいて、炭火の加減調整と炭の補給を安全で手軽に行え、焼網上の食材を痛めることなくしてその焼けすぎを防止することができるバーベキューコンロとして広く利用されるものである。
【符号の説明】
【００１８】
１はコンロ
２は焼網
３は焼網支持棒
３ａ，３ｂは突起
３ｃは内棒
３ｄは外筒
３ｅ，３ｆは掛止片
３ｇはストッパ
３ｈ，３ｉは二重体のレール
４はネジ
４ａは操作ヘッド
Ｃは炭
Ｓは食材
【図１】
0003180270.tif 000003
【図２】
0003180270.tif 000004
【図３】
0003180270.tif 000005
【手続補正書】
【提出日】平成24年10月11日(2012.10.11)
【手続補正１】
【補正対象書類名】実用新案登録請求の範囲
【補正対象項目名】全文
【補正方法】変更
【補正の内容】
【実用新案登録請求の範囲】
【請求項１】
バーベキューコンロにおいて、焼網を該コンロ上に載着する焼網支持棒を内棒と上面開放の外筒の内外二重の伸縮体にて形成し、該焼網支持棒の外筒を該コンロの上面に跨ぎ掛け固定し、該焼網支持棒の内棒をコンロ外に伸長することにより該内棒に載着した焼網をコンロ上からコンロ外に移動させてコンロ上を開放することによりコンロ内の炭火の加減調整と補給をしやすくし、また焼網上の焼き上げ肉、野菜などの食材をコンロ上からコンロ外にずらし置きし得るようにしたことを特徴とするバーべキューコンロ。
【請求項２】
焼網支持棒は、外筒の両端下面にコンロの上面に跨ぎ掛け固定する掛止片を設け、内棒の上面に焼網の挿し止めと伸縮用を兼ねた突起を設ける請求項１に記載のバーベキューコンロ。
【請求項３】
焼網支持棒の外筒を広狭にスライドする二重体にしてコンロ幅の大小に応じて広狭調整して焼網支持棒をコンロ上に跨ぎ掛け固定し得るようにする請求項２に記載のバーベキューコンロ。
【請求項４】
焼網支持棒の側面に広狭調整のための操作ヘッド付きのネジを取付ける請求項３に記載のバーベキューコンロ。